(57)【要約】【課題】効果的な防滴を図ることができ、また押釦スイッチ付き回転式電子部品に用いて好適な回転式電子部品の防滴構造を提供すること。【解決手段】基台８０及びカバー１５０の対向する面のそれぞれに、フレキシブル回路基板５０を囲む壁部８９，１５９を互い違いに設けることで第１の防滴構造を形成し、カバー１５０及び回転つまみ３０の対向する面のそれぞれに、軸部４９を囲む壁部１６３，１６５，３７を互い違いに設けることで第２の防滴構造を形成し、第２の回転つまみ４０と基台８０の対向する面のそれぞれに、クリック板１９０等からなる動作力付与部の外周側を囲む壁部５５，９９を互い違いに設けることで第３の防滴構造を形成する。さらに各壁部１５９，３７，９９の先端とこれらに対向する部材間に、それぞれ弾性を有する防滴部材１１０，１７０，２２０を圧接挟持する。【選択図】図３
2017097989.tif 000002
【特許請求の範囲】
【請求項１】
基台と、
前記基台の一方の面に設置される回路基板と、
前記回路基板上に設置され、軸部を中心に回転する回転体と、
前記回路基板と前記回転体との間に設置され、前記回転体の回転によって出力信号を変化する検出手段と、
前記回転体を覆うカバーと、
前記カバーの前記回転体とは反対面側に設置され、前記回転体と一体に回転する回転つまみと、
を具備する回転式電子部品において、
前記基台及びカバーの対向する面のそれぞれに、前記回路基板を囲む壁部を互い違いに設けることで第１の防滴構造を形成し、
前記カバー及び回転つまみの対向する面のそれぞれに、前記軸部を囲む壁部を互い違いに設けることで第２の防滴構造を形成したことを特徴とする回転式電子部品の防滴構造。
【請求項２】
請求項１に記載の回転式電子部品の防滴構造であって、
前記第１の防滴構造を構成する何れかの壁部の先端とこれに対向する部材間、又は前記第２の防滴構造を構成する何れかの壁部の先端とこれに対向する部材間の少なくとも何れか一方に、弾性を有する防滴部材を圧接挟持したことを特徴とする回転式電子部品の防滴構造。
【請求項３】
請求項１又は２に記載の回転式電子部品の防滴構造であって、
前記軸部は前記基台を貫通しており、
前記基台の前記回路基板を設置した反対面側に、前記貫通した軸部を中心として前記回転体と一体に回転する第２の回転つまみを設置し、
前記第２の回転つまみと前記基台との間に、第２の回転つまみの回転にクリック感触を付与する動作力付与部を設け、
前記第２の回転つまみと前記基台の対向する面のそれぞれに、前記動作力付与部の外周側を囲む壁部を互い違いに設けることで第３の防滴構造を形成することを特徴とする回転式電子部品の防滴構造。
【請求項４】
請求項３に記載の回転式電子部品の防滴構造であって、
前記第３の防滴構造を構成する何れかの壁部の先端とこれに対向する部材間に、弾性を有する防滴部材を圧接挟持したことを特徴とする回転式電子部品の防滴構造。
【請求項５】
請求項１乃至４の内の何れかに記載の回転式電子部品の防滴構造であって、
前記回転式電子部品をその回転軸に垂直な方向に向けて上下動自在に取り付けるケースを具備し、
前記回路基板をフレキシブル回路基板で構成し、
前記基台の前記回転つまみの外周から下方に突出させた押圧スイッチ形成部の下面側に押圧スイッチを設置し、
前記検出手段に用いる回路パターンと前記押圧スイッチに用いる回路パターンを、前記１枚のフレキシブル回路基板上に形成してこのフレキシブル回路基板を前記基台の表面に沿わせて取り付け、
一方前記ケースの前記押圧スイッチに対向する位置にスイッチ押圧部を設け、
前記ケースに対して前記回転式電子部品を下降させることで前記押圧スイッチが前記スイッチ押圧部によって押圧されてオンすることを特徴とする回転式電子部品の防滴構造。
【発明の詳細な説明】
【技術分野】
【０００１】
本発明は、内部に設置した検出手段に液体が浸入するのを効果的に防止することができる回転式電子部品の防滴構造に関するものである。
【背景技術】
【０００２】
従来、デジタルカメラや携帯通信機器等の各種携帯機器、コンピュータ、自動車用電装部品、各種ＯＡ機器、ゲーム機等を操作するデバイス等として、回転式電子部品が使用されている。そしてこの種の回転式電子部品の中には、内蔵した検出手段に水等の液体が浸入しないよう、防滴構造（完全防水ではないが、ある程度液体の浸入を防ぐ構造）を設けたものがある。そして、より効果的な防滴を図ることができる構造の回転式電子部品が求められていた。
【０００３】
一方、従来、回転式電子部品の回転つまみをその回転軸に垂直な方向に向けて押圧して下降させることで押圧スイッチをオンする構造の押釦スイッチ付き回転式電子部品がある（特許文献１，２参照）。しかしながら、この種の押釦スイッチ付き回転式電子部品において、防滴構造を有するものは、従来なかった。
【０００４】
また、上記従来の押釦スイッチ付き回転式電子部品においては、例えば特許文献１，２に示すように、１枚のフレキシブル回路基板の回転式電子部品用のスイッチパターン（又は抵抗体パターン）を設けた部分は回転つまみを取り付けた上下動する側の部材に設置され、一方押圧スイッチに用いる押圧スイッチパターンを設けた部分は静止側の部材に設置されていたので、前記上下動する側の部材が上下動するたびにフレキシブル回路基板は、前記回転式電子部品用のスイッチパターンを設けた部分と、押圧スイッチパターンを設けた部分の間で撓むこととなり、前記撓む部分の回路パターンに接続不良等の問題を生じる恐れがあった。
【先行技術文献】
【特許文献】
【０００５】
【特許文献１】実開平０５−５５４３２号公報
【特許文献２】特開２００７−４８６２０号公報
【発明の概要】
【発明が解決しようとする課題】
【０００６】
本発明は上述の点に鑑みてなされたものでありその目的は、効果的な防滴を図ることができ、また押釦スイッチ付き回転式電子部品に用いて好適な回転式電子部品の防滴構造を提供することにある。
【課題を解決するための手段】
【０００７】
本発明は、基台と、前記基台の一方の面に設置される回路基板と、前記回路基板上に設置され、軸部を中心に回転する回転体と、前記回路基板と前記回転体との間に設置され、前記回転体の回転によって出力信号を変化する検出手段と、前記回転体を覆うカバーと、前記カバーの前記回転体とは反対面側に設置され、前記回転体と一体に回転する回転つまみと、を具備する回転式電子部品において、前記基台及びカバーの対向する面のそれぞれに、前記回路基板を囲む壁部を互い違いに設けることで第１の防滴構造を形成し、前記カバー及び回転つまみの対向する面のそれぞれに、前記軸部を囲む壁部を互い違いに設けることで第２の防滴構造を形成したことを特徴としている。
第１の防滴構造によって、基台とカバーの間から検出手段に向かう液体の浸入を阻止することができる。同時に、第２の防滴構造によって、回転つまみの軸部を通して検出手段に向かう液体の浸入を阻止することができる。また、対向する面のそれぞれに互い違いに壁部を設けるという簡単な構造で防滴構造を構成できる。
【０００８】
また本発明は、前記第１の防滴構造を構成する何れかの壁部の先端とこれに対向する部材間、又は前記第２の防滴構造を構成する何れかの壁部の先端とこれに対向する部材間の少なくとも何れか一方に、弾性を有する防滴部材を圧接挟持したことを特徴としている。
弾性を有する防滴部材を圧接挟持するので、第１，第２の防滴構造における防滴効果を大きく向上させることができる。
【０００９】
また本発明は、前記軸部は前記基台を貫通しており、前記基台の前記回路基板を設置した反対面側に、前記貫通した軸部を中心として前記回転体と一体に回転する第２の回転つまみを設置し、前記第２の回転つまみと前記基台との間に、第２の回転つまみの回転にクリック感触を付与する動作力付与部を設け、前記第２の回転つまみと前記基台の対向する面のそれぞれに、前記動作力付与部の外周側を囲む壁部を互い違いに設けることで第３の防滴構造を形成することを特徴としている。
第３の防滴構造によって、基台と第２の回転つまみの間から動作力付与部に向かう液体の浸入、さらには軸部が貫通する基台の貫通孔を介して前記検出手段に向かう液体の浸入を阻止することができる。
また、基台の表裏両面を挟むように回転つまみ及び第２の回転つまみを設置したので、基台の一方の面側のみに回転つまみを設置する場合に比べて、回転時の力が基台の一方の側に偏らず、回転つまみ及び第２の回転つまみをスムーズに安定して回転することができる。また基台の回転つまみ側に検出手段を、基台の第２の回転つまみ側に動作力付与部を設置したので、基台の一方の側に検出手段と動作力付与部とを設置する場合に比べて、設置スペースに余裕ができて両者を設置し易くなり、また基台から一方の面側に突出する回転つまみの高さ寸法を低くすることができ、この回転式電子部品を装着する機器内での設置スペースの関係で基台から一方の側に回転つまみを高く突出できないような構造が求められてもこの様な要求に応えることができる。
【００１０】
また本発明は、前記第３の防滴構造を構成する何れかの壁部の先端とこれに対向する部材間に、弾性を有する防滴部材を圧接挟持したことを特徴としている。
弾性を有する防滴部材を圧接挟持するので、第３の防滴構造における防滴効果を大きく向上させることができる。
【００１１】
また本発明は、前記回転式電子部品をその回転軸に垂直な方向に向けて上下動自在に取り付けるケースを具備し、前記回路基板をフレキシブル回路基板で構成し、前記基台の前記回転つまみの外周から下方に突出させた押圧スイッチ形成部の下面側に押圧スイッチを設置し、前記検出手段に用いる回路パターンと前記押圧スイッチに用いる回路パターンを、前記１枚のフレキシブル回路基板上に形成してこのフレキシブル回路基板を前記基台の表面に沿わせて取り付け、一方前記ケースの前記押圧スイッチに対向する位置にスイッチ押圧部を設け、前記ケースに対して前記回転式電子部品を下降させることで前記押圧スイッチが前記スイッチ押圧部によって押圧されてオンすることを特徴としている。
この回転式電子部品によれば、回転つまみ（さらには第２の回転つまみ）の外周面をその回転軸に垂直な方向に向けて押圧することで、ケースに対して回転式電子部品を下降させて押圧スイッチをオンすることができる、いわゆる押釦スイッチ付き回転式電子部品を構成することができ、この押釦スイッチ付き回転式電子部品を上述したような防滴構造とすることができる。
さらに上述のように、回転つまみの他に第２の回転つまみを用いて基台を挟む構造にした場合は、基台の回転つまみ及び第２の回転つまみの間から押圧スイッチ形成部を下方に突出する構造となるので、基台に対してその両側に位置する回転つまみ及び第２の回転つまみを同時に押圧することでバランスよく押圧でき、よりスムーズに基台を下降させることができ、その押圧操作感触をより好適にすることができる。
また、基台に設けた押圧スイッチ形成部の下面に、この基台の表面に沿わせて取り付けたフレキシブル回路基板に設けた押圧スイッチを設置したので、押圧スイッチは基台の上下動と共に移動する。このため基台の上下動に対して、フレキシブル回路基板の検出手段に用いる回路パターン部分と、押圧スイッチに用いる回路パターン部分との間の部分が上下動のたびに撓むことはなく、前記両回路パターン間の回路パターンに接続不良等の問題を生じることがなくなる。
【発明の効果】
【００１２】
本発明によれば、効果的な防滴を図ることができ、さらに押釦スイッチ付き回転式電子部品に用いて好適な回転式電子部品の防滴構造とすることができる。
【図面の簡単な説明】
【００１３】
【図１】押釦スイッチ付き回転式電子部品１の斜視図である。
【図２】別の方向から見た押釦スイッチ付き回転式電子部品１の斜視図である。
【図３】押釦スイッチ付き回転式電子部品１の縦断面図である。
【図４】回転式電子部品１０とケース３００の分解斜視図である。
【図５】回転式電子部品１０の分解斜視図である。
【図６】回路基板５０を取り付けた基台８０の分解斜視図である。
【図７】回転式電子部品１０の部分の主要構成部品を図５とは別の角度から見た分解斜視図である。
【図８】ケース３００を示す斜視図である。
【発明を実施するための形態】
【００１４】
以下、本発明の実施形態を図面を参照して詳細に説明する。図１は本発明の１実施形態に係る防滴構造を適用した押釦スイッチ付き回転式電子部品１の斜視図、図２は別の方向から見た押釦スイッチ付き回転式電子部品１の斜視図、図３は押釦スイッチ付き回転式電子部品１の縦断面図、図４は回転式電子部品１０とケース３００の分解斜視図、図５は回転式電子部品１０の分解斜視図、図６は回路基板５０を取り付けた基台８０の分解斜視図、図７は回転式電子部品１０の部分の主要構成部品を図５とは別の角度から見た分解斜視図である。これらの図に示すように、押釦スイッチ付き回転式電子部品１は、基台８０の表裏に、一体に回転する回転つまみ３０と第２の回転つまみ４０とを取り付けてなる回転式電子部品１０を、ケース３００内に上下動自在に収納設置して構成されている。なお以下の説明において、「上」とは回転式電子部品１０を上下動する場合の上方向をいい、「下」とはその反対方向をいうものとする。
【００１５】
図５に示すように回転式電子部品１０は、回路基板（以下「フレキシブル回路基板」という）５０を取り付けた基台８０と、前記基台８０の一方の面側に取り付けられる防滴部材１１０、摺動子１２０、回転体１３０、カバー１５０、防滴部材１７０、回転つまみ３０、ボルト２３０と、前記基台８０のもう一方の面側に取り付けられるクリック板１９０、一対のボール２０１、一対の弾発手段（以下「コイルバネ」という）２１０、防滴部材２２０、第２の回転つまみ４０と、を具備して構成されている。
【００１６】
基台８０は、図６，図７に示すように、合成樹脂を略平板状に成形して構成されており、その上部の一方の面は回路基板取付面８１、他方の面は動作力付与部取付面８３となっている。またその下部には基台８０の面に対して垂直に接続される略平板矩形状の押圧スイッチ形成部８５が設けられている。回路基板取付面８１の中央には、下記する第２の回転つまみ４０の軸部４９を回動自在に貫通させる貫通孔８７が形成されている。貫通孔８７の周囲は、基台８０の両面から突出する円筒状の軸支部８８となっている。また回路基板取付面８１の貫通孔８７（軸支部８８）の周囲のリング状の面は基板載置面９０であり、基板載置面９０の周囲にはこれを囲むように円弧状の凸部からなる壁部８９が形成されている。壁部８９はその下部の部分が切り欠かれた円弧形状となっており、切り欠かれた部分には、フレキシブル回路基板５０係止用の小突起からなる係止部９１が形成されている。また壁部８９の周囲のリング状の面は防滴部材載置面９２となっており、防滴部材載置面９２の周囲にはこれを囲むように所定間隔毎に複数（５つ）の貫通する小孔からなるケース取付孔９３が形成されている。最も下側のケース取付孔９３の下部には、水平方向に並ぶように、複数個（３つ）の小突起からなる基板取付部９５が形成されている。
【００１７】
一方、動作力付与部取付面８３の前記貫通孔８７（軸支部８８）の周囲のリング状の面はクリック板載置面９７であり、クリック板載置面９７の周囲にはこれを囲むように円筒状の凸部からなる壁部９９が形成されている。壁部９９の先端辺は、図３に示すように、鋭角に突出した防滴部材圧接部１０１となっている。また壁部９９の周囲を囲む位置に、前記複数（５つ）のケース取付孔９３が位置している。
【００１８】
押圧スイッチ形成部８５の下面（先端面）は基板載置面１０３となっており、その所定位置には小突起状の一対の取付部１０５が形成されている。また押圧スイッチ形成部８５の前記第２の回転つまみ４０を設置する面側の端辺は下方向に略Ｌ字状に突出する側壁部１０７となっており、この側壁部１０７の内側側面にも、図３に示すように、一対の小突起状の取付部１０９が形成されている。さらに押圧スイッチ形成部８５の左右両側面の略中央位置（基台８０の左右両側辺の下部位置）には、左右方向（幅方向）に突出する係止爪１１１が形成されている。係止爪１１１は、下側から上側に向かってテーパ状に突出する略三角形状の凸部によって形成されている。
【００１９】
フレキシブル回路基板５０は、可撓性を有する合成樹脂フイルム５１上に所望の回路パターンを形成することで構成されており、その上部の部分を回転式電子部品用基板部５３、その下側の部分を基台取付部５５、さらにその下側の部分を押圧スイッチ用基板部５７、さらにその下側の部分を引出部５９としている。なお図ではフレキシブル回路基板５０を基台８０に取り付けた際の屈曲形状で示しているが、何物にも拘束されていない時はその全体が１つの平面状の延びた形状になる。
【００２０】
回転式電子部品用基板部５３は、略円形に形成され、中央には前記基台８０の軸支部８８を挿入する円形の貫通孔５４が設けられ、その周囲（基台８０とは反対側を向く面）には下記する摺動子１２０が摺接する円弧状の摺接パターン６０（具体的形状は図示せず）が形成されている。回転式電子部品用基板部５３の外径寸法は、前記基台８０の壁部８９の内径寸法よりも小さい寸法とされている。
【００２１】
基台取付部５５の、前記基台８０の係止部９１と、最も下側のケース取付孔９３と、複数個（３つ）の基板取付部９５に対向する位置には、これらと同形状の貫通する小孔からなる挿通孔６３が形成されている。
【００２２】
押圧スイッチ用基板部５７の、前記基台８０の基板載置面１０３に対向する面の中央には、図示しない押圧スイッチ用パターンが形成されており、この押圧スイッチ用パターン上には、図６に示すように、弾性導電板をドーム形状に形成してなるスイッチ接点板６５が粘着テープ６７によって貼り付けられ、これによって押圧スイッチ６９が構成されている。また前記基台８０の一対の取付部１０５と、一対の取付部１０９に対向する位置には、それぞれこれらと同形状の貫通する小孔からなる挿通孔７１、７３が形成されている。押圧スイッチ６９の周囲には、前記基台８０の基板載置面１０３上に載置される矩形でリング状のスペーサ部材７５が取り付けられ、さらにその上には防水シート７７が取り付けられる。スペーサ部材７５と防水シート７７には、夫々前記基台８０の一対の取付部１０５に対向する位置に、これらと同形状の貫通する小孔からなる挿通孔７９、８１が形成されている。スペーサ部材７５は成形樹脂製であり、防水シート７７は合成樹脂フィルム製である。
【００２３】
引出部５９には、前記摺接パターン６０と押圧スイッチ用パターンに接続されて引き出された回路パターンが形成されている。
【００２４】
基台８０へのフレキシブル回路基板５０の取り付けは、まずフレキシブル回路基板５０の回転式電子部品用基板部５３と基台取付部５５の部分を、基台８０の基板載置面９０とその下側の面とに当接し、その際、基台８０の係止部９１と３つの基板取付部９５を、フレキシブル回路基板５０の各挿通孔６３に挿通し、各基板取付部９５の先端を熱カシメして固定する。このとき、基台８０の最も下に位置するケース取付孔９３に、フレキシブル回路基板５０の中央の挿通孔６３が対向する。次に、フレキシブル回路基板５０の押圧スイッチ用基板部５７の部分を、基台８０の押圧スイッチ形成部８５の上面からその外周辺を介して下面の基板載置面１０３に至るまで基台８０に沿わせるように屈曲させて配置し、その際、フレキシブル回路基板５０の一対の挿通孔７１と挿通孔７３に、それぞれ基台８０の一対の取付部１０５と取付部１０９を挿入する。そしてさらに前記フレキシブル回路基板５０の押圧スイッチ用基板部５７の前記押圧スイッチ６９の周囲の面上にスペーサ部材７５を貼り付け、その上に防水シート７７を貼り付け、これによって押圧スイッチ６９を防滴する。その際、スペーサ部材７５の一対の挿通孔７９と防水シート７７の一対の挿通孔８１に、基台８０の一対の取付部１０５を挿通し、それらの先端を熱カシメして固定する。また前記基台８０の一対の取付部１０９の先端も熱カシメしてフレキシブル回路基板５０を基台８０に固定する。これによって、基台８０へのフレキシブル回路基板５０の取り付けが完了する。
【００２５】
次に、防滴部材１１０は、弾性を有するエラストマー等からなる弾性体をリング状に形成して構成されている。防滴部材１１０の内径寸法は、前記基台８０の壁部８９の外径寸法よりも少し大きい寸法に形成されている。
【００２６】
摺動子１２０は、弾性金属板をリング状に形成し、等間隔に形成した３つの基部１２１中に取付孔１２３を設け、また基部１２１からその円周方向に向かって３組の摺動冊子１２５を突出して構成されている。
【００２７】
回転体１３０は、合成樹脂を略円板状に成形して構成されており、その中央には基台８０から離れる方向に向けて突出する円形の凸部１３１が設けられ、その基台８０側の面には円形の軸受部１３３が設けられ、さらに軸受部１３３の底面中央には、円形でその外周から等間隔に４つの細溝を放射状に突出して設けてなる軸部装着部１３５が設けられている。軸受部１３３の内径寸法は、前記基台８０の軸支部８８の外径寸法と略同一に形成されている。回転体１３０の前記軸受部１３３の周囲の面は、摺動子取付面１３７となっており、この摺動子取付面１３７中には、円周方向に等間隔に３つの小突起からなる摺動子取付部１３９が形成されている。
【００２８】
カバー１５０は、合成樹脂を略円形に成形して構成されており、円形のカバー本体部１５１の外周から基台８０方向に向かって円筒状の側壁１５３を突出させ、これによって基台８０側に円形の検出手段収納凹部１５５を形成して構成されている。カバー１５０の側壁１５３の先端辺の、前記基台８０の各ケース取付孔９３に対向する位置には、ケース取付孔９３に挿入される寸法の略矩形状の小突起からなる基台取付部１５７が突設されている。カバー本体部１５１の中央には、第２の回転つまみ４０の軸部４９を挿通する軸挿通孔１６０が設けられている。カバー本体部１５１の基台８０側を向く面には、リング状の壁部１５９が形成されている。壁部１５９の内径寸法は、前記回転体１３０の外径寸法よりも少し大きい寸法となっている。壁部１５９の先端辺は、図３に示すように、鋭角に突出した防滴部材圧接部１６１となっている。カバー本体部１５１の基台８０の反対側を向く面の軸挿通孔１６０の周囲には、円形リング状の壁部１６３が突設されており、さらに壁部１６３の周囲にはこれと同心円状に円形リング状の壁部１６５が突設されており、両壁部１６３，１６５の間を防滴部材収納部１６７、その面を防滴部材載置面１６９としている。
【００２９】
防滴部材１７０は、弾性を有するエラストマー等からなる弾性体をリング状に形成して構成されている。防滴部材１７０の内径寸法は前記カバー１５０の壁部１６３の外径寸法よりも少し大きく、外径寸法は壁部１６５の内径寸法よりも少し小さい寸法に形成されている。
【００３０】
回転つまみ３０は、合成樹脂を略円形に成形して構成されており、円形のつまみ本体部３１の外周から基台８０方向に向かって円筒状の側壁３２を突出し、これによって基台８０側に円形のカバー収納凹部３３を形成して構成されている。つまみ本体部３１の中央には、ボルト挿通孔３４が設けられている。つまみ本体部３１の基台８０の反対側を向く面には、ボルト挿通孔３４の周囲を囲むように円筒状のガイド部３５が突設されている。つまみ本体部３１の基台８０側を向く面には、図７に示すように、４本の円弧状に突出する係止突起３６が形成され、さらにその外側にはこれを囲むようにリング状の壁部３７が形成されている。係止突起３６は、下記する第２の回転つまみ４０の軸部４９の各突条４９ａの間に嵌合するように形成されている。壁部３７は、前記カバー１５０の防滴部材載置面１６７に対向する位置に設けられている。壁部３７の先端辺は、図３に示すように、鋭角に突出した防滴部材圧接部３８となっている。
【００３１】
クリック板１９０は、平板状で円形リング状であり、その面に多数の貫通する小孔からなるクリック係合部１９１を等間隔に設けて構成されている。このクリック板１９０は、前記基台８０のクリック板載置面９７に当接するように、軸支部８８と壁部９９の間に挿入される寸法に形成されている。
【００３２】
防滴部材２２０は、弾性を有するエラストマー等からなる弾性体をリング状に形成して構成されている。
【００３３】
第２の回転つまみ４０は、合成樹脂を略円形に成形して構成されており、円形のつまみ本体部４１の外周から基台８０方向に向かって円筒状の側壁４３を突出し、これによって基台８０側に円形の動作力付与部収納凹部４５を形成して構成されている。つまみ本体部４１の基台８０側を向く面の中央部分は円柱状に突出した突出部４７となっており、さらにその中央には基台８０側に向かって突出する軸部４９が形成されている。軸部４９は、円柱の外周面から軸方向に向かって延びる突条４９ａを等間隔に４本突設して構成されている。軸部４９の先端面には、ネジ螺合用の取付穴５１が設けられている。突出部４７の基台８０側を向く面の前記軸部４９を挟んだその両側対称位置には、一対のクリック機構挿入穴５３が形成されている。クリック機構挿入穴５３には、ボール２０１とコイルバネ２１０が挿入される。また突出部４７の周囲を所定の隙間を介して囲むように円筒状の壁部５５が形成されている。突出部４７と壁部５５の間を防滴部材収納部５７、その底面を防滴部材載置面５９としている。つまみ本体部４１の基台８０の反対側を向く面中央には、円筒状のガイド部６１が突設している。なお第２の回転つまみ４０の外径寸法と、前記回転つまみ３０の外径寸法は、同一である。
【００３４】
図８はケース３００を示す斜視図である。同図及び図３に示すように、ケース３００は合成樹脂を、上面が解放された挿入部３０１としてなる矩形箱型に成形して構成されている。挿入部３０１は、前記基台８０や回転つまみ３０や第２の回転つまみ４０等の組立体を上下動自在に挿入できる寸法形状に形成されている。挿入部３０１の底面３０３中央の前記押圧スイッチ６９に対向する位置には、上方向に向かって突出する小突起からなるスイッチ押圧部３０５が形成されている。挿入部３０１の対向する一対の内側面近傍の底面３０３からは、一対の爪状の係止部３０７が上方向に向かって突出している。両係止部３０７の上端部には、対向する側に向かって爪部３０９が突設されている。挿入部３０１の対向するもう一対の内側面の上部には、前記回転つまみ３０のガイド部３５と第２の回転つまみ４０のガイド部６１を上下動自在に挿入する寸法の凹状のガイド部挿入部３１１が形成されている。また前記底面３０３には、上下に貫通する開口部３１３が形成されている。
【００３５】
この押釦スイッチ付き回転式電子部品１を組み立てるには、まず予め、回転体１３０の摺動子取付面１３７に、摺動子１２０を載置し、その際、回転体１３０の摺動子取付部１３９をそれぞれ摺動子１２０の取付孔１２３に挿入し、各摺動子取付部１３９の先端を熱カシメすることで固定しておく。そして、前記フレキシブル回路基板５０を取り付けた基台８０の防滴部材載置面９２上に防滴部材１１０を載置し、次に摺動子１２０を取り付けた回転体１３０の軸受部１３３に基台８０の軸支部８８を回動自在に挿入する。次に回転体１３０を覆うようにカバー１５０を被せ、カバー１５０の各基台取付部１５７を基台８０の各ケース取付孔９３に挿入し、基台８０の反対側の面から突出する各基台取付部１５７の先端を熱カシメして固定する。このとき、摺動子１２０の摺動冊子１２５は、フレキシブル回路基板５０の摺接パターン６０に弾接する。
【００３６】
次に、第２の回転つまみ４０の防滴部材収納部５７内に防滴部材２２０を挿入し、防滴部材載置面５９上に載置する。次に、第２の回転つまみ４０の一対のクリック機構挿入穴５３内に、それぞれコイルバネ２１０とボール２０１を挿入する。次に、基台８０のクリック板載置面９７にクリック板１９０を載置した上で、前記防滴部材２２０等を装着した第２の回転つまみ４０を基台８０の動作力付与部取付面８３上に設置し、その際、第２の回転つまみ４０の軸部４９を貫通孔８７内に回動自在に挿入する。このとき、軸部４９は基台８０を貫通し、回転体１３０の軸部装着部１３５に嵌合して貫通し、さらにカバー１５０の軸挿通孔１６０内を貫通・露出している。次に、カバー１５０の防滴部材収納部１６７内に防滴部材１７０を収納し、その面を防滴部材載置面１６９上に載置する。そしてカバー１５０の上から回転つまみ３０を被せ、その各係止突起３６を前記第２の回転つまみ４０の軸部４９の各突条４９ａの間に嵌合する。そして回転つまみ３０のボルト挿通孔３４にボルト２３０を挿入し、第２の回転つまみ４０の軸部４９先端の取付穴５１に螺合する。このとき、回転つまみ３０の壁部３７の防滴部材圧接部３８が、防滴部材２２０に圧接する。これによって図４に示すような回転式電子部品１０が完成する。
【００３７】
次に、図４に示すように、前記回転式電子部品１０の下部を、ケース３００の挿入部３０１内に上下動自在に挿入し、ケース３００に設けた一対の係止部３０７の爪部３０９を、基台８０の係止爪１１１にスナップイン係合にて係止する。このとき図３に示すように、ケース３００の押圧部３０５に押圧スイッチ６９のスイッチ接点板６５の上面が当接した状態で、前記爪部３０９と係止爪１１１が係合している。またこのとき図３に示すように、回転つまみ３０のガイド部３５と、第２の回転つまみ４０のガイド部６１は、それぞれケース３００の一対のガイド部挿入部３１１に上下動自在に挿入されており、前記爪部３０９と係止爪１１１が係合している際には、ガイド部３５，６１の下部とガイド部挿入部３１１の内底部との間に所定の隙間Ｓ１が形成されている。また図３に示すように、フレキシブル回路基板５０の引出部５９は、ケース３００の一方の開口部３１３内に挿入された押圧スイッチ形成部８５の側壁部１０７に沿うように取り付けられるので、基板載置面１０３から略直角に下方向に向けて折り曲げられて固定され、ケース３００の一方の開口部３１３から下方に向けて確実に貫通して突出し、下記するようにケース３００に対して回転式電子部品１０全体が上下動しても、フレキシブル回路基板５０がケース３００から引き出される部分で開口部３１３の内周面に当接等することはない。なお上記一連の組立手順はその一例であり、他の各種異なる組立手順を用いて組み立てても良いことはいうまでもない。
【００３８】
以上のように構成された押釦スイッチ付き回転式電子部品１において、一体となっている回転つまみ３０及び第２の回転つまみ４０を回転すると、これと一体に回転体１３０及び摺動子１２０が回転し、摺動子１２０の摺動冊子１２３が摺接パターン６０上を摺動し、その電気的出力（検出出力）が変化する。回転つまみ３０及び第２の回転つまみ４０を回転する際、コイルバネ２１０によってクリック板１９０に弾接しているボール２０１は、クリック板１９０のクリック係合部１９１への挿入、離脱が行われることで、クリック感触が得られる。
【００３９】
一方、一体となっている回転つまみ３０及び第２の回転つまみ４０の外周側面を、その上方からその回転軸に垂直な方向に向けて押圧すれば、回転式電子部品１０全体がケース３００に対して下降し、押圧スイッチ６９が押圧部３０５によって押圧されてスイッチ接点板６５が反転し、スイッチがオンする。前記回転つまみ３０及び第２の回転つまみ４０の外周側面への押圧を解除すれば、前記スイッチ接点板６５の弾性復帰力によってスイッチ接点板６５は元の形状に自動復帰してスイッチはオフし、同時に回転式電子部品１０全体がケース３００に対して上昇して元の位置に自動復帰する。
【００４０】
ところで、上記押釦スイッチ付き回転式電子部品１に液体が付着し、回転つまみ３０と基台８０の間及び第２の回転つまみ４０と基台８０の間から内部に液体が浸入する場合があるが、この押釦スイッチ付き回転式電子部品１の場合、下記する第１，第２，第３の防滴機構Ａ１，Ａ２，Ａ３（符号Ａ１，Ａ２，Ａ３は図示せず）を設けているので、摺接パターン６０及び摺動子１２０からなっていて回転体３０の回転によって出力信号を変化する検出手段Ｂ１（符号Ｂ１は図示せず）、及びクリック板１９０、ボール２０１、コイルバネ２１０からなっていて第２の回転つまみ４０の回転にクリック感触を付与する動作力付与部Ｂ２（符号Ｂ２は図示せず）への、液体の浸入、付着を効果的に阻止することができる。以下説明する。なお上述のように、Ａ１，Ａ２，Ａ３，Ｂ１，Ｂ２の符号は、何れの図にも図示していない。
【００４１】
即ち、この押釦スイッチ付き回転式電子部品１においては、基台８０及びカバー１５０の対向する面のそれぞれに、フレキシブル回路基板５０を囲む壁部８９，１５９を互い違いに設けるという簡単な構造で第１の防滴構造Ａ１を形成し、これによって基台８０とカバー１５０の間から検出手段Ｂ１に向かう液体の浸入を阻止することができる。またカバー１５０及び回転つまみ３０の対向する面のそれぞれに、軸部４９を囲む壁部１６３，１６５，３７を互い違いに設けるという簡単な構造で第２の防滴構造Ａ２を形成し、これによって、軸部４９を通して検出手段Ｂ１に向かう液体の浸入を阻止することができる。また第２の回転つまみ４０と基台８０の対向する面のそれぞれに、動作力付与部Ｂ２の外周側を囲む壁部５５，９９を互い違いに設けるという簡単な構造で第３の防滴構造Ａ３を形成し、これによって、基台８０と第２の回転つまみ４０の間から動作力付与部Ｂ２に向かう液体の浸入、さらには軸部４９が貫通する基台８０の貫通孔８７を介して検出手段Ｂ１に向かう液体の浸入を阻止することができる。なお回転つまみ３０と軸部４９の先端面間は、ボルト２３０によって強固に密接しているので、ボルト挿入孔３４から浸入しようとする液体が、検出手段Ｂ１に浸入することはない。
【００４２】
さらにこの押釦スイッチ付き回転式電子部品１においては、第１の防滴構造Ａ１を構成する一方の壁部１５９の先端とこれに対向する部材（基台８０の表面）間、及び第２の防滴構造Ａ２を構成する一方の壁部３７の先端とこれに対向する部材（カバー１５０の表面）間、及び第３の防滴構造Ａ３を構成する一方の壁部９９の先端とこれに対向する部材（第２の回転つまみ４０の表面）間に、それぞれ弾性を有する防滴部材１１０，１７０，２２０を圧接挟持したので、第１，第２，第３の防滴構造Ａ１，Ａ２，Ａ３における防滴効果を大きく向上させることができる。特にこれら壁部１５９，３７，９９の先端は、鋭角な防滴部材圧接部１６１，３８，１０１としているので、より防滴効果が大きい。
【００４３】
また、押圧スイッチ６９においては、リング状のスペーサ部材７５とその上を覆う防水シート７７によって、防滴が図られている。
【００４４】
またこの押釦スイッチ付き回転式電子部品１によれば、基台８０の表裏両面を挟むように回転つまみ３０及び第２の回転つまみ４０を設置したので、基台８０の一方の面側のみに回転つまみ３０を設置する場合に比べて、回転時の力が基台８０の一方の側に偏らず、回転つまみ３０及び第２の回転つまみ４０をスムーズに安定して回転することができる。また基台８０の回転つまみ３０側に検出手段Ｂ１を、基台８０の第２の回転つまみ４０側に動作力付与部Ｂ２を設置したので、基台８０の一方の側に検出手段と動作力付与部とを設置する場合に比べて、設置スペースに余裕ができて両者を設置し易くなり、また基台８０から一方の面側に突出する回転つまみ３０の高さ寸法を低くすることができ、この押釦スイッチ付き回転式電子部品１を装着する機器内での設置スペースの関係で基台８０から一方の面側に回転つまみ３０を高く突出できないような構造が求められてもこの様な要求に応えることができる。
【００４５】
またこの押釦スイッチ付き回転式電子部品１によれば、回転つまみ３０（及び第２の回転つまみ４０）の回転軸に垂直な方向に向けて上下動自在に取り付けるケース３００を具備し、また回路基板をフレキシブル回路基板５０で構成し、基台８０の回転つまみ３０（及び第２の回転つまみ４０）の外周から下方に突出させた押圧スイッチ形成部８５の先端面側（下面側）に押圧スイッチ６９を設置し、検出手段Ｂ１に用いる回路パターンと押圧スイッチ６９に用いる回路パターンを、１枚のフレキシブル回路基板５０上に形成してこのフレキシブル回路基板５０を基台８０の表面に沿わせて取り付け、一方ケース３００の押圧スイッチ６９に対向する位置にスイッチ押圧部３０５を設け、ケース３００に対して回転式電子部品１０を下降させることで押圧スイッチ６９がスイッチ押圧部３０５によって押圧されてオンする構成としたので、回転つまみ３０（さらには第２の回転つまみ４０）の外周面をその回転軸に垂直な方向に向けて押圧することで、ケース３００に対して回転式電子部品１０を下降させて押圧スイッチ６９をオンすることができる、いわゆる押釦スイッチ付き回転式電子部品１を構成することができ、この押釦スイッチ付き回転式電子部品１を上述したような防滴構造とすることができる。
【００４６】
さらに上述のように、回転つまみ３０の他に第２の回転つまみ４０を用いて基台８０を挟む構造にした場合は、基台８０の回転つまみ３０及び第２の回転つまみ４０の間から押圧スイッチ形成部８５を下方に突出する構造となるので、基台８０に対してその両側に位置する回転つまみ３０及び第２の回転つまみ４０を同時に押圧することでバランスよく押圧でき、よりスムーズに基台８０を下降させることができ、その押圧操作感触をより好適にすることができる。
【００４７】
また、基台８０に設けた押圧スイッチ形成部８５の先端面（下面）に、この基台８０の表面に沿わせて取り付けたフレキシブル回路基板５０に設けた押圧スイッチ６９を設置したので、押圧スイッチ６９は基台８０の上下動と共に移動する。このため基台８０の上下動に対して、フレキシブル回路基板５０の検出手段Ｂ１に用いる回路パターン部分と、押圧スイッチ６９に用いる回路パターン部分との間の部分が上下動のたびに撓むことはなく、両回路パターン間の回路パターンに接続不良等の問題を生じることがなくなる。
【００４８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では回路基板としてフレキシブル回路基板を用いたが、硬質の回路基板等を用いても良い。また動作力付与部を省略等する場合は、第２の回転体は省略しても良く、逆に、動作力付与部を省略しても第２の回転体を設置しても良い。また検出手段は必ずしも摺動子と摺接パターンの組で構成するものに限られず、要は回転体の回転によって出力信号を変化する構成であればよい。また上記例では、互い違いに設置した壁部の他に、弾性を有する防滴部材を圧接挟持することで、防滴部材を構成したが、前記防滴部材はこれを省略しても良い。また防滴部材を圧接挟持する壁部は、例示した互い違いのもう一方の壁部とこれに対向する部材間に設置しても良い。
【００４９】
また、上記各図で示した実施形態は、その目的及び構成等に矛盾がない限り、互いの記載内容を組み合わせることが可能である。また、各図の記載内容は、それぞれ独立した実施形態になり得るものであり、本発明の実施形態は各図を組み合わせた一つの実施形態に限定されるものではない。
【符号の説明】
【００５０】
１  押釦スイッチ付き回転式電子部品
１０  回転式電子部品
３０  回転つまみ
３７  壁部
４０  第２の回転つまみ
４９  軸部
５０  フレキシブル回路基板（回路基板）
６０  摺接パターン（検出手段）
６９  押圧スイッチ
８０  基台
８５  押圧スイッチ形成部
８９，９９  壁部
１１０，１７０，２２０  防滴部材
１２０  摺動子（検出手段）
１３０  回転体
１５０  カバー
１５９，１６３，１６５  壁部
１９０  クリック板（動作力付与部）
２０１  ボール（動作力付与部）
２１０  コイルバネ（弾発手段、動作力付与部）
３００  ケース
３０５  スイッチ押圧部
【図１】
2017097989.tif 000003
【図２】
2017097989.tif 000004
【図３】
2017097989.tif 000005
【図４】
2017097989.tif 000006
【図５】
2017097989.tif 000007
【図６】
2017097989.tif 000008
【図７】
2017097989.tif 000009
【図８】
2017097989.tif 000010